(57)【要約】【課題】良好な熱シール性を保ちながら優れた撥水性を有し、蓋材として利用すると内容物の残量低減や付着防止効果を有し、また、高い撥水性、撥乳性が付与され、低残存容器や内容物付着による汚染を防止する蓋材を提供することが求められていた。【解決手段】順に、基材、全部または部分領域に熱硬化性樹脂に、架橋ポリマーなどからなり平均粒子径１μｍ以上１００μｍ未満の弾性粒子が分散しているアンカー層、ヒートシール層、疎水化表面処理された金属酸化物微粒子などからなる内容物付着防止層からなる蓋材を提供する。【選択図】図１
2017226422.tif 000002
【特許請求の範囲】
【請求項１】
順に、基材、全部または部分領域に熱硬化性樹脂に平均粒子径１μｍ以上１００μｍ未満の弾性粒子が分散しているアンカー層、ヒートシール層、内容物付着防止層からなる蓋材。
【請求項２】
弾性粒子が架橋ポリマーからなり、ポリマーがアクリル樹脂、ポリウレタン樹脂、ポリアミド樹脂、スチレン樹脂、フェノール樹脂、シリコーン樹脂の中から少なくとも１種以上である請求項１記載の蓋材。
【請求項３】
アンカー層の表面粗さがＲｚ＞５μｍである請求項１または２記載の蓋材。
【請求項４】
ピール強度より基材強度の方が高い請求項１から３何れか記載の蓋材。
【請求項５】
内容物付着防止層に、ジメチルシリル、トリメチルシリル、ジメチルポリシロキサン、アミノアルキルシリル、アルキルシリル、メタクリルシリルのいずれかの官能基で疎水化表面処理された、シリカ、アルミナ、チタニア、マグネシアのいずれか１種を含む金属酸化物微粒子を含んでいる請求項１から４何れか記載の蓋材。
【発明の詳細な説明】
【技術分野】
【０００１】
本発明は、食品、飲料、医薬品、化粧品、化学品等を包装する蓋材に関する。
【０００２】
具体的にはヨーグルト、ゼリー、プリン、シロップなどの容器の蓋材や、お粥、スープなどのレトルト食品用包装材、化学品や医薬品等の液体、半固体、ゲル状物質などの保存容器用蓋材に用いられる。
【背景技術】
【０００３】
従来より蓋材などで内容物が付着しにくいように付着防止性能を有する構成が考えられていた。
【０００４】
すなわち、フイルム等の基材上に微粒子を塗布した凹凸を付与し、熱シール性樹脂を塗布した構造とすることが行われていた。
【０００５】
例えば特許文献１は、内容物付着防止性を有する包装容器用熱封線性蓋材およびその製造方法であって、内容物付着防止層の組成物が、ワックスと微粒子からなる構成である。しかし、これでは凹凸は微粒子の大きさに依存するために、凹凸が不十分になり、撥水性が不足する。
【０００６】
特許文献２は、非付着性容器及びその製造方法である。この発明では、単に内容物と接触する面に一次粒子平均径３〜１００ｎｍの疎水性酸化物粒子が付着している構成とするものである。しかしこれでは、熱で固着させないと膜凝集力が上がらない。（１２０〜２００℃）高温にすると、シーラン下層が熱溶解しやすく、形状も変化しやすい。
【０００７】
特許文献３は、積層体及び包装材料である。この発明では、熱可塑性樹脂を含有する層の表面に一次粒子平均径３〜１００ｎｍの疎水性酸化物粒子が付着している構成とするものである。しかしこれでは、凹凸付与に用いる球形粒子が熱可塑性樹脂で埋まっており、その上に疎水性酸化物微粒子が付着している構造で、シールヒーター等で表面が加熱されると疎水性微粒子が熱可塑性樹脂内に埋包されて撥水機能が低下する恐れがある。また、充填粒子の密着強度が不十分で、加工工程において充填粒子脱落の危険性がある。
【先行技術文献】
【特許文献】
【０００８】
【特許文献１】特開２００９−７３５２３号公報
【特許文献２】特開２０１０−２５４３７７号公報
【特許文献３】特開２０１１−９３３１５号公報
【発明の概要】
【発明が解決しようとする課題】
【０００９】
蓋材に内容物が付着するのを防ぐとともに、開封する容器の蓋材において、易開封性と十分なシール強度を保持し、開封時に蓋材が破れて異物混入や開封口の一部閉塞による内容物の取り出し不良が起こるのを防ぐことを目的とする。
【００１０】
具体的には、通常のシーラント材を用いた蓋材は、内容物が付着して取りづらく、内容物の無駄や汚れの原因となることが多かった。また、フッ素材やシリコーンのみでは、撥水性や付着防止効果はあるものの、シール性に乏しく、蓋材に使用することが困難であった。
【００１１】
また、安全衛生上の観点から、表面エネルギーの小さいハロゲン系の撥水剤は、Ｃ８系の主鎖を持つ撥水剤が体内残存率が高い可能性があるため、やや撥水性の劣ると思われるＣ６系やシリコーン系が良く使われているが、その分、撥水性もやや劣るという欠点があった。
【００１２】
撥水性の性能を向上させるために、比較的大きな凹凸構造とナノレベルの微細凹凸構造を組み合わせたフラクタル構造を持つものが良いとされている。この構造を再現するために粒子により凹凸を形成させ、その上に疎水性微粒子で微細凹凸を作る構造が提唱されている。大きな凹凸を形成する粒子は耐熱性の樹脂が使用されることが多く、シール剤と混合して塗布されるとシール剤が混合粒子の間に沈みこみ、シール阻害になりやすい。
【００１３】
また、蓋材として使用する場合に基材側へ熱シールすると充填粒子が熱で融解した基材に埋没して蓋材と基材を強固に密着させる。このとき密着強度が強くなりすぎて、基材強度よりピール強度の方が強くなり、開封時に基材が破けてしまうというように、蓋材の易開封性が損なわれる場合があった。
【課題を解決するための手段】
【００１４】
本発明は上記課題を鑑みてなされたものであって、請求項１に記載の発明は、順に、基材、全部または部分領域に熱硬化性樹脂に平均粒子径１μｍ以上１００μｍ未満の弾性粒子が分散しているアンカー層、ヒートシール層、内容物付着防止層からなる蓋材を提供するものである。
【００１５】
請求項２に記載の発明は、弾性粒子が架橋ポリマーからなり、ポリマーがアクリル樹脂、ポリウレタン樹脂、ポリアミド樹脂、スチレン樹脂、フェノール樹脂、シリコーン樹脂の中から少なくとも１種以上である請求項１記載の蓋材を提供するものである。
【００１６】
請求項３に記載の発明は、アンカー層の表面粗さがＲｚ＞５μｍである請求項１または２記載の蓋材を提供するものである。
【００１７】
請求項４に記載の発明は、ピール強度より基材強度の方が高い請求項１から３何れか記載の蓋材を提供するものである。
【００１８】
請求項５に記載の発明は、内容物付着防止層に、ジメチルシリル、トリメチルシリル、ジメチルポリシロキサン、アミノアルキルシリル、アルキルシリル、メタクリルシリルのいずれかの官能基で疎水化表面処理された、シリカ、アルミナ、チタニア、マグネシアのいずれか１種を含む金属酸化物微粒子を含んでいる請求項１から４何れか記載の蓋材を提供するものである。
【発明の効果】
【００１９】
本発明の蓋材は、良好な熱シール性を保ちながら優れた撥水性を有し、蓋材として利用すると内容物の残量低減や付着防止効果を有する。
【００２０】
また、高い撥水性、撥乳性が付与され、低残存容器や内容物付着による汚染を防止する蓋材を提供することが可能となる。蓋材としての易開封性を有し、シール阻害も発生しない。
【００２１】
熱硬化性樹脂により覆われて弾性粒子、例えば固着されたゴム弾性をもつ混合粒子により表面粗さを付与でき、さらにその上にヒートシール層と内容物付着防止層を設けることで、フラットな基材の上に内容物付着防止層を設けた蓋材よりも内容物付着防止性の向上
が確認できた。
【００２２】
また、弾性粒子が熱硬化性樹脂に含まれているため、基材に対して強固に密着し、弾性があることでシール時にフラットになりやすくシールムラや易剥離性の阻害をしにくいとともに、シール部をキッカケとした開封時の蓋材の破れが起こりづらい。弾性粒子自体は十分な表面粗さを得ることができるとともに、脱落や剥離がなく安定した構造撥水層を得るための構造を保持できる。また、熱シール時で圧着させる場合、弾性粒子がつぶれやすくシール面がフラットになるため、部分的なシール不良や浮きが発生しにくい。
【図面の簡単な説明】
【００２３】
【図１】本発明にかかる蓋材の部分拡大概念断面図である。
【図２】図１の本発明にかかる蓋材の容器本体のフランジに接着する態様を示す部分拡大概念断面図である。
【図３】図１の本発明にかかる蓋材の容器本体のフランジに接着した状態を示す部分拡大概念断面図である。
【発明を実施するための形態】
【００２４】
以下、本発明の詳細な形態について説明する。
【００２５】
本発明は、順に、基材１１、全部または部分領域に熱硬化性樹脂１３に平均粒子径１μｍ以上１００μｍ未満の弾性粒子１２が分散しているからなるアンカー層、ヒートシール層１４、内容物付着防止層１５からなる蓋材である。
【００２６】
特に、弾性粒子が架橋ポリマーからなり、ポリマーがアクリル樹脂、ポリウレタン樹脂、ポリアミド樹脂、スチレン樹脂、フェノール樹脂、シリコーン樹脂の中から少なくとも１種以上であるのが好ましい。
【００２７】
また、アンカー層の表面粗さがＲｚ＞５μｍであるのが好ましい。
【００２８】
また、ピール強度より基材強度の方が高いのが好ましい。
【００２９】
また、内容物付着防止層に、ジメチルシリル、トリメチルシリル、ジメチルポリシロキサン、アミノアルキルシリル、アルキルシリル、メタクリルシリルのいずれかの官能基で疎水化表面処理された、シリカ、アルミナ、チタニア、マグネシアのいずれか１種を含む金属酸化物微粒子を含んでいるのが好ましい。
【００３０】
このような蓋材は、図２のように基材２１、全部または部分領域に熱硬化性樹脂２３に平均粒子径１μｍ以上１００μｍ未満の弾性粒子２２が分散しているからなるアンカー層、ヒートシール層２４、内容物付着防止層２５からなる蓋材を、内容物付着防止層２５側を容器本体２８のフランジ２９にヒートシールすることで使用する。
【００３１】
ヒートシールした結果、図３の様に蓋材が容器本体３８のフランジ３９にシールされるが、この場合、フランジ３９のある部分だけヒートシールされ、その他の部分ではヒートシールされず、内容物等が蓋材の内容物付着防止層３５と触れる構造になるが、この内容物付着防止層３５の存在により内容物が蓋材の内容物付着防止層３５に付着しないか、付着しても容易に剥落できるようになっている。
【００３２】
また、ヒートシールのときに弾性粒子３２が、その弾性により変形することができて、変形した弾性粒子３６となる。これにより、蓋材の基材３１とフランジ３９の間の距離を弾性粒子３２の粒径に規定されることがなく、弾性粒子３２がある部分でもそれが変形し
た弾性粒子３６となることにより基材３１を平坦とすることができ、弾性粒子３２の凹凸によりできる基材３１の凹凸による基材３１の劣化を防止することができるとともに、ヒートシールの際に、均等に圧力を加えることができるため、弾性粒子３２の凹凸によるヒートシールムラを抑えることができ、部分的なシール不良や浮きを発生することを抑えることが可能になった。
【００３３】
以下、このような蓋材の構成につき説明する。
【００３４】
基材はＰＥＴ、ＰＥ、ＰＰ、ポリアミド等のプラスチックフィルムや紙、セロファンなどが考えられるが、凹凸付与のための混合粒子を固着する熱硬化性樹脂と強固に密着するものであれば限定はしない。
【００３５】
基材表面は、表面凹凸構造を付与するものとして、弾性粒子と熱硬化性樹脂からなる表面凹凸付与剤が全体に固着していることによりアンカー層を構成している。この弾性粒子によって表面粗さＲｚ（ＪＩＳ  Ｂ０６０１：’９４）が５μｍ以上の凹凸を持つ表面を形成している。弾性粒子の粒径はバインダーとして作用する熱硬化性樹脂の層厚より大きいものが多く、その大部分を熱硬化性樹脂に覆われていることにより弾性粒子の脱落が起こりづらく、安定した形状の表面を保持することが可能である。
【００３６】
また、このようなアンカー層を用いることにより、ヒートシール層および内容物付着防止層を塗布等の手段で形成した後の表面形状が擬似的にフラクタル状になり、これにより撥水効果が向上する。
【００３７】
弾性粒子の平均粒径は、弾性変形がない状態においての粒径において１〜１００μｍとし、より好ましくは１０〜５０μｍが良い。平均粒径が１μｍより小さいと、凹凸の上にヒートシール層や内容物付着防止層を設けた際に、内容物付着防止効果としての撥水機能を向上させるために十分な大きさ（Ｒｚ＞５μｍ）の凹凸を付与することが困難である。また、平均粒径が１００μｍより大きいと、高密度で凹凸を付与させることが困難になり、撥水機能を向上させることができない上に、大きく突出した弾性粒子が、摩擦などの外部応力によって脱落しやすくなる。弾性粒子の固着には熱硬化性樹脂を使用し、外部応力によって容易に離脱しないように樹脂に覆われた状態で強固に固定されているアンカー層とする。
【００３８】
このようにアンカー層が熱硬化性樹脂によって固定することで、弾性粒子の脱落を防ぎ、熱に対しても軟化しにくいために脱落や移動を防止し、安定した表面凹凸形状を保持することができる。また、弾性粒子が弾性を有するため、ヒートシール層および内容物付着防止層を付与した基材を熱圧着により他の基材フイルムやカップ等からなる容器本体シールする時、弾性粒子がつぶれてシール面がフラットに近くなり、表面凹凸によるシール強度のムラやシール不良が起こりづらい。また、シール強度が強くなりすぎて剥すときのピール強度が増して投錨効果も少なくなるため、易剥離性を損なうようなことがない。さらに、ヒートシール部をキッカケとして発生しやすい開封時のフイルム破れも、ピール強度より基材強度の方が高くなり、起こりづらい。
【００３９】
上記熱硬化性樹脂としては、アクリル樹脂、ポリウレタン樹脂、エポキシ樹脂、メラミン樹脂、フェノール樹脂、シリコーン樹脂、ポリエステル樹脂等が挙げられる。一液硬化型でも、二液硬化型（主剤＋硬化剤）でも構わない。
【００４０】
弾性粒子の形状は問わないが、球形粒子が扱いやすく、表面に配置したときに急峻な立ち上がり形状を持つ凹凸を形成しやすい。弾性粒子の構成材料としてはゴム弾性等の弾性を有する架橋ポリマーからなり、ポリマーとしてアクリル樹脂、ポリウレタン樹脂、ポリ
アミド樹脂、スチレン樹脂、フェノール樹脂、シリコーン樹脂の中から少なくとも１種以上を使用した熱硬化性樹脂からなる。
【００４１】
これら弾性粒子と熱硬化性樹脂からなるアンカー層が設けられている凹凸基材の上に、容器本体とのヒートシール性を付与するための熱可塑性樹脂層が配置されている。熱可塑性樹脂としては、ヒートシールニスが用いられるのが好ましく、その材質は使用される容器本体の材質によって適宜選定することができる。容器本体がポリスチレンの場合、ヒートシール剤は主成分がポリアクリレート樹脂、エチレン酢酸ビニル共重合体、塩化ビニル酢酸ビニル共重合体、エチレン樹脂から選定する。容器本体がポリプロピレンの場合、ポリアクリレート樹脂、塩化ビニル酢酸ビニル共重合体、変性ポリオレフィン樹脂から選定する。容器本体がポリエチレンの場合、ポリアクリレート樹脂、塩化ビニル酢酸ビニル共重合体、エチレン樹脂、変性ポリオレフィン樹脂から選定する。変性ポリオレフィンの変性が酸変性であり、不飽和カルボン酸またはその無水物で変性されたオレフィンであることが望ましい。また、オレフィンがポリプロピレン、あるいはポリエチレンであることが望ましい。
【００４２】
また、内容物や充填方法により、容器にはチルド仕様、アセプティック仕様、ボイル仕様、レトルト仕様など分けられ、用途に応じて容器本体の材質を選定するとともに、蓋材のヒートシールニス材質を選定する。
【００４３】
さらに熱可塑性樹脂からなるヒートシール層の上に、疎水性微粒子を含む撥水機能層を塗布する等により内容物付着防止層を形成する。内容物付着防止層は、例えば、疎水性微粒子と無機酸化物などの無機バインダーから構成されており、弾性粒子と熱硬化性樹脂および熱シール性付与のためのヒートシール層からなる基材の上に全面に付与されている。
【００４４】
この場合の疎水性微粒子としては、無機酸化物であることが望ましく、シリカ、アルミナ、マグネシア、酸化チタンなどの無機酸化物であれば特に限定されないが、無機バインダーとの密着性を上げるためにはシリカが好ましい。酸化物微粒子は燃焼法、アーク法などの乾式製法や沈殿法、ゲル法などの湿式製法から得られる合成シリカ、または天然シリカでも構わない。微粒子の表面に疎水化処理を行うことで撥水機能を付与する。
【００４５】
疎水化処理方法は乾式法、湿式法など特定しなくて良いが、疎水性官能基がジメチルシリル（ＣＨ３）２Ｓｉ（Ｏ−Ｒ）２、トリメチルシリル（ＣＨ３）３ＳｉＯ−Ｒ、ジメチルポリシロキサン（ＣＨ３）２−Ｓｉ−Ｏ−Ｓｉ（Ｏ−Ｒ）３、ジメチルシロキサン、アミノアルキルシリル、アルキルシリル、メタクリルシリルの何れかであれば良い。これらの官能基を生成することで、臨界表面張力、すなわち表面エネルギーを小さくして撥水性が良くなる。
【００４６】
疎水処理は微粒子の凝集体の表面を処理していればよく、凝集体の内部が親水性であっても構わない。つまり、凝集体の表面に存在しない凝集体内部の個々一次粒子は、表面が疎水処理されていいなく、親水性であっても良い。
【００４７】
平均粒径は５ｎｍ〜１０μｍであれば表面により均一に塗布しやすい。平均粒径のバラツキは特に制約しないが、大小様々な粒径が存在することで、擬似的なフラクタル構造を形成しやすい。平均粒径は、疎水性微粒子が凝集した状態の粒径を言い、コールタ一法、動的散乱、レーザー散乱方にて測定できる。
【００４８】
この場合に用いる無機バインダーとして金属アルコキシドを用いることが良い。金属アルコキシドとは、テトラエチルオルソシリケート（Ｓｉ（ＯＣ２Ｈ５）４）、トリイソプロピルアルミニウム（Ａｌ（ＯＣ３Ｈ７）３）、など一般式Ｍ（ＯＲ）ｎ（ＭはＳｉ，Ｔ
ｉ，Ａｌ，Ｚｒなどの金属、ＲはＣＨ３，Ｃ２Ｈ５などのアルキル基）で表せるものである。その中でもＭがＳｉ，Ａｌ、Ｔｉである金属アルコキシドの特性が優れている。また、金属アルコキシドの中に、密着向上や表面改質などの目的で、シランカップリング剤を混合しても良い。シランカップリング剤は、官能基としてビニル、エポキシ、スチリル、メタクリル、アクリル、アミノ、ウレイド、メルカプト、スルフイド、イソシアネートのうちのいずれか一つを持つものが良い。
【００４９】
内容物付着防止層は、内容物によって各種成分を用いりうるが、例えば内容物が水性の場合、撥水機能を持たせるのが好ましく、その場合、金属アルコキシドあるいは金属アルコキシドとシランカップリング剤の混合物を直接あるいはあらかじめ加水分解反応させたものを疎水性微粒子と混合して複合物溶液を作成し、疎水性微粒子と、金属アルコキシドまたは金属アルコキシドとシランカップリング剤の混合物あるいは金属アルコキシドの加水分解物を金属酸化物に換算したときの金属酸化物との重量比率が、５：９５〜９５：５であることが好ましい。さらに好ましくは、２０：８０〜６０：４０が良い。これにより、撥水性が良くなる。
【００５０】
疎水性微粒子の重量比が５％より低いと、疎水性表面が最表層を覆う面積が小さくなり、十分な撥水性能が出せない。また、９５％以上だと疎水性微粒子がバインダーと結合することなく最表面に出てくるために、摩擦や振動などの外部応力によって疎水性微粒子が欠落し、撥水性能が損なわれる。
【００５１】
内容物付着防止層は、その材質により各種形成方法を用いりうるが、上述の様に撥水機能を持たせる場合は、コーティングにて形成させるのが好ましい。その場合の膜厚は０．１〜１０μｍの範囲内であることが望ましい。０．１μｍ以下だと疎水性微粒子が最表面に現れる量が少なくなり、撥水性が低下する。また、１０μｍ以上だと撥水機能層が厚くなりすぎて熱シール時にシール阻害を起こしやすく、十分に密閉ができない。また、粒子による基材凹凸を相殺してしまい、十分な撥水機能を発現できない可能性がある。
【００５２】
撥水剤の配置された表面は疎水性微粒子がヒートシール層表面上に、ほぼ全面を覆う様に被覆されているのが好ましいが、全体の３０％以上、好ましくは７０％以上覆われていることが良い。被覆面積比が３０％未満だと、内容物が非撥水表面と接触する面積が大きくなり、十分な撥水性能を発揮することができない。
【００５３】
内容物付着防止層を撥水コート剤の塗布方法により設ける場合は、ロールコート、ダイレクトグラビアコート、リバースグラビアコート、バーコート、キスリバースコート、ダイコート、ドクターブレードコート、刷毛塗り、ディップコート、スプレーコート、スピンコートなどの公知の方法を採用することができる。
【実施例】
【００５４】
＜実施例１＞
ドライラミネートで作製したコート紙／ポリエチレンテレフタレート（以下、ＰＥＴと称する）基材のＰＥＴ側に、２液硬化型ポリエステル系アンカーコート剤（ＤＩＣ  Ａ９７０）とゴム弾性を持つ架橋ポリウレタン樹脂からなる平均粒径１５μｍの弾性粒子である弾性粒子を分散して３０ｗｔ％の固形分（アンカーコート：１５％、アクリルからなる弾性粒子：１５％）に調整した分散液を、ウェット塗布量４．０ｇ／ｍ２でダイレクトグラビアコートにより塗布し、粒子による凹凸を付与したフイルム基材を作成した。さらに、この基材の上にグラビアコートによってアクリル系ヒートシールニス剤をウェット塗布量で１０．０ｇ／ｍ２コートした。
【００５５】
さらにその上にジメチルポリシロキサン処理を行った平均一次粒子径７ｎｍの疎水性シ
リカ微粒子（日本アエロジル  ＲＹ２００Ｓ）をメタノールに分散した溶液と、テトラエトキシシラン（以下、ＴＥＯＳと称する）と酸を混合して、加水分解反応させて作製したシリカゾル溶液からなるシリカゾルバインダーを１：２で混合し、固形分１０ｗｔ％に希釈した撥水コート剤を、ウェット塗布量１．５ｇ／ｍ２でグラビアコートにより全面塗布し、蓋材を作製した。
【００５６】
＜実施例２＞
ドライラミネートで作製したコート紙／ＰＥＴ基材のＰＥＴ側に、２液硬化型アクリル系アンカーコート剤と弾性粒子として平均粒径１６μｍのポリアミド粒子を使用して凹凸付与層を形成した以外は、実施例１と同様の方法にて蓋材を作製した。
【００５７】
＜実施例３＞
ドライラミネートで作製したコート紙／ＰＥＴ基材のＰＥＴ側に、２液硬化型ポリエステル系アンカーコート剤と弾性粒子として低架橋アクリル樹脂からなる平均粒径１５μｍの粒子を分散したコート剤で凹凸付与層を形成した以外は、実施例１と同様の方法にて蓋材を作製した。
【００５８】
＜実施例４＞
ドライラミネートで作製したポリアミド／ＰＥＴ基材のＰＥＴ側に、二液硬化型ポリエステル系アンカーコート剤と架橋ウレタン樹脂からなる平均粒径５μｍの粒子を分散した以外は、実施例１と同様の方法にて内容物非付着性包材を作製した。
【００５９】
＜比較例１＞
ドライラミネートで作製したコート紙／ＰＥＴ基材のＰＥＴ側に、二液硬化型ポリエステル系アンカーコート剤（ＤＩＣ  Ａ９７０）を２０ｗｔ％の固形分に調整した液を、ウェット塗布量２．０ｇ／ｍ２でダイレクトグラビアコートにより塗布し、平滑なフイルム基材を作成した。さらに、この基材の上に実施例１と同様にグラビアコートによってアクリル系ヒートシールニス剤をコートし、疎水性微粒子とシリカゾルバインダーからなる撥水機能層をコートした。
【００６０】
＜比較例２＞
ドライラミネートで作製したコート紙／ＰＥＴ基材のＰＥＴ側に、ポリエステル系熱硬化性樹脂からなるアンカーコート層をグラビアコート法によって塗布し、その上に熱可塑性のアクリル系ヒートシールニス剤（ＤＩＣ  Ａ４５０）とアクリル樹脂からなる平均粒径１μｍの粒子を分散して２５ｗｔ％の固形分（ヒートシールニス：１５％、アクリル粒子：１０％）に調整した分散液を、ウェット塗布量１５．０ｇ／ｍ２でダイレクトグラビアコートにより塗布し、粒子による凹凸を付与した熱シール性基材とした。さらに、この基材の上に実施例１と同様に、アクリル系ヒートシールニス剤と、疎水性微粒子とシリカゾルバインダーからなる撥水機能層をコートした。
【００６１】
＜比較例３＞
ドライラミネートで作製したコート紙／ＰＥＴ基材のＰＥＴ側に、２液硬化型ポリエステル系アンカーコート剤（ＤＩＣ  Ａ９７０）とアクリル樹脂からなる平均粒径２０μｍの混合粒子を分散して３０ｗｔ％の固形分（アンカーコート：１５％、アクリル粒子：１５％）に調整した分散液を、ウェット塗布量４．０ｇ／ｍ２でダイレクトグラビアコートにより塗布し、粒子による凹凸を付与したフイルム基材を作成した。さらに、この基材の上にグラビアコートによってアクリル系ヒートシールニス剤（ＤＩＣ  Ａ４５０）および疎水性微粒子とシリカゾルバインダーからなる撥水機能層をコートした。
【００６２】
評価：
＜１＞開封試験
蓋材をカップシーラーにてポリスチレン製カップに熱シールし（シール温度２１０℃、圧力０．２ＭＰａ、１．０秒）、冷蔵条件下（５℃）にて１日保存する。
【００６３】
冷蔵条件下に置いたまま、フォースゲージで蓋材端部をつかんで開封し、強度および蓋材の破れ有無を評価した（ｎ＝２０）。
【００６４】
＜２＞はじき性能試験
各実施例、比較例の包材に水滴およびヨーグルト（ダノンＢＩＯヨーグルト／プレーン加糖）（ダノン社製：製品名）を滴下し、各包材を傾けながらはじき性ならびに転落角（目視）を評価した。
【００６５】
ヨーグルトは包材を傾けて液滴が付着せず転落すれば〇、付着したまま垂れた場合は×、とした。
【００６６】
＜３＞シール強度
熱シールバーによって、撥水機能性を付与した各包材をポリスチレン製シートに２００℃、０．２ＭＰａ、１．０ｓｅｃの条件で圧着させ、ＪＩＳ  Ｚ０２３８準拠の方法にて、テンシロンでシール強度を測定した。
【００６７】
結果を表１に示す。
【００６８】
実施例１〜５の包材は、混合粒子の脱落がなく、はじき性も良好であった。開封時の蓋材破れは発生せず、開封強度も６Ｎ前後で強すぎず、良好であった。
【００６９】
比較例１の包材は、表面粗さが小さく、はじき性が落ちる。また、シール後にアクリルが残りやすくポリスチレンとＰＥＴの層間から蓋材が破れやすかった。
【００７０】
比較例２の包材は、摩擦によって混合粒子が脱落しやすく、かつシール時に隙間ができて不良箇所が見られた。また、充填粒子がシール基材に埋まりシール強度が高くなった。
【００７１】
比較例３の包材は、シール強度が比較例２に比べて強度が低下したものの、開封時の紙破れが発生しやすく、充填粒子がポリスチレンカップに埋まって取れやすかった。
【００７２】
【表１】
2017226422.tif 000003
【符号の説明】
【００７３】
１１、２１、３１  …基材
１２、２２、３２  …弾性粒子
１３、２３、３３  …熱硬化性樹脂
１４、２４、３４  …ヒートシール層
１５、２５、３５  …内容物付着防止層
２８、３８  …容器本体
２９、３９  …フランジ
３６  …変形した弾性粒子
【図１】
2017226422.tif 000004
【図２】
2017226422.tif 000005
【図３】
2017226422.tif 000006